(57)【要約】【課題】利用者が簡単な操作で自動的に最寄りのアクセスポイントを介してプロバイダに接続し、安価な通話料金で公衆回線を利用しながらプロバイダが提供するインターネット接続や電子メール等のサービスを利用可能とすること。【解決手段】予め決められた地域内に存在する携帯端末１０との間を無線で交信し通話を中継する無線基地局装置２０と、情報や通信に関するサービスを提供するプロバイダ装置４１・４２と接続し無線基地局装置２０との間の通話を中継するアクセスポイント装置（ＡＰ装置３１〜３３）と、これらを接続する公衆回線網３９からなり、無線基地局装置２０は、プロバイダ毎に割り付けられた特殊番号に対して最寄りのＡＰ装置の番号を保持するＡＰ情報テーブル２２と、携帯端末１０から通話要求を受けるとＡＰ情報テーブル２２を参照して対応するＡＰ装置の番号に宛先番号を切り換える切換処理部２１とを有する。【選択図】      図１
2004179989.tif 000002
【特許請求の範囲】
【請求項１】
予め決められた地域内に存在する携帯端末との間を無線で交信し通話を中継する無線基地局装置と、情報や通信に関するサービスを提供するプロバイダ装置と接続し少なくとも２以上に分割された地域に設置され無線基地局装置との間の通話を中継するアクセスポイント装置と、これらを接続する通信網からなる自動接続システムであって、
前記無線基地局装置は、予め決められた宛先番号の通話要求を携帯端末から受けると予め決められたアクセスポイント装置の番号に切り換えて接続することを特徴とする自動接続システム。
【請求項２】
予め決められた地域内に存在する携帯端末との間を無線で交信し通話を中継する無線基地局装置と、情報や通信に関するサービスを提供するプロバイダ装置と接続し少なくとも２以上に分割された地域に設置され無線基地局装置との間の通話を中継するアクセスポイント装置と、これらを接続する通信網からなる自動接続システムであって、
前記無線基地局装置は、プロバイダ装置毎に割り付けられた特殊番号に対して最も有利な条件でプロバイダ装置に接続可能なアクセスポイント装置の番号を保持するアクセスポイント情報テーブルと、携帯端末から通話要求を受けるとアクセスポイント情報テーブルを参照して宛先番号が特殊番号の場合は対応するアクセスポイント装置の番号に宛先番号を切り換える切換処理部とを有することを特徴とする自動接続システム。
【請求項３】
予め決められた地域内に存在する携帯端末との間を無線で交信し通話を中継する無線基地局装置と、情報や通信に関するサービスを提供するプロバイダ装置と接続し少なくとも２以上に分割された地域に設置され無線基地局装置との間の通話を中継するアクセスポイント装置と、管理サーバと、これらを接続する通信網からなる自動接続システムであって、
前記管理サーバは、無線基地局装置を識別する情報とプロバイダ装置毎に割り付けられた特殊番号と無線基地局装置に最も有利な条件でプロバイダ装置に接続可能なアクセスポイント装置の番号とをセットにして保持する統合アクセスポイント情報テーブルと、無線基地局装置から無線基地局装置を識別する情報と宛先番号とを含んだ問い合わせ要求を受けると統合アクセスポイント情報テーブルを参照して対応するアクセスポイント装置の番号を返送する特殊番号処理部とを有し、
前記無線基地局装置は、携帯端末から宛先番号が特殊番号である通話要求を受けると予め決められた無線基地局装置を識別する情報と宛先番号とを含んだ問い合わせ要求を管理サーバに送り返送されたアクセスポイント装置の番号に宛先番号を切り換える切換処理部を有することを特徴とする自動接続システム。
【請求項４】
予め決められた地域内に存在する携帯端末との間を無線で交信し通話を中継する無線基地局装置と、情報や通信に関するサービスを提供するプロバイダ装置と接続し少なくとも２以上に分割された地域に設置され無線基地局装置との間の通話を中継するアクセスポイント装置と、管理サーバと、これらを接続する通信網からなる自動接続システムであって、
前記管理サーバは、無線基地局装置を識別する情報とプロバイダ装置毎に割り付けられた特殊番号と無線基地局装置に最も有利な条件でプロバイダ装置に接続可能なアクセスポイント装置の番号とをセットにして保持する統合アクセスポイント情報テーブルと、無線基地局装置から無線基地局装置を識別する情報と宛先番号とを含んだ問い合わせ要求を受けると統合アクセスポイント情報テーブルを参照して宛先番号が特殊番号として登録されている場合に対応するアクセスポイント装置の番号を返送する特殊番号処理部とを有し、
前記無線基地局装置は、携帯端末から通話要求を受けると予め決められた無線基地局装置を識別する情報と宛先番号とを含んだ問い合わせ要求を管理サーバに送り対応するアクセスポイント装置の番号が取得された場合には宛先番号を取得したアクセスポイント装置の番号に切り換える切換処理部を有することを特徴とする自動接続システム。
【請求項５】
前記通信網とは公衆回線網であり、前記最も有利な条件とは公衆回線網の通話料金が最も安価なことであることを特徴とする請求項２、３、又は４の自動接続システム。
【請求項６】
予め決められた地域内に存在する携帯端末との間を無線で交信して通話を中継し、
予め決められた宛先番号の通話要求を携帯端末から受けると、情報や通信に関するサービスを提供するプロバイダ装置と接続し少なくとも２以上に分割された地域に設置され無線基地局装置との間の通話を中継するアクセスポイント装置の中の予め決められたアクセスポイント装置の番号に切り換えて接続することを特徴とする無線基地局装置。
【請求項７】
予め決められた地域内に存在する携帯端末との間を無線で交信して通話を中継し、通信網によって情報や通信に関するサービスを提供するプロバイダ装置と接続し少なくとも２以上に分割された地域に設置され無線基地局装置との間の通話を中継するアクセスポイント装置と通信網で接続し、
プロバイダ装置毎に割り付けられた特殊番号に対して最も有利な条件でプロバイダ装置に接続可能なアクセスポイント装置の番号を保持するアクセスポイント情報テーブルと、携帯端末から通話要求を受けるとアクセスポイント情報テーブルを参照して宛先番号が特殊番号の場合は対応するアクセスポイント装置の番号に宛先番号を切り換える切換処理部とを有することを特徴とする無線基地局装置。
【請求項８】
前記通信網とは公衆回線網であり、前記最も有利な条件とは公衆回線網の通話料金が最も安価なことであることを特徴とする請求項７の無線基地局装置。
【請求項９】
予め決められた地域内に存在する携帯端末との間を無線で交信し通話を中継する無線基地局装置と、情報や通信に関するサービスを提供するプロバイダ装置と接続し少なくとも２以上に分割された地域に設置され無線基地局装置との間の通話を中継するアクセスポイント装置と、通信網で接続し、
無線基地局装置を識別する情報とプロバイダ装置毎に割り付けられた特殊番号と無線基地局装置に最も有利な条件でプロバイダ装置に接続可能なアクセスポイント装置の番号とをセットにして保持する統合アクセスポイント情報テーブルと、無線基地局装置から無線基地局装置を識別する情報と宛先番号とを含んだ問い合わせ要求を受けると統合アクセスポイント情報テーブルを参照して対応するアクセスポイント装置の番号を返送する特殊番号処理部とを有することを特徴とする管理サーバ。
【請求項１０】
前記通信網とは公衆回線網であり、前記最も有利な条件とは公衆回線網の通話料金が最も安価なことであることを特徴とする請求項９の管理サーバ。
【請求項１１】
予め決められた地域内に存在する携帯端末との間を無線で交信し通話を中継する無線基地局装置が予め決められた宛先番号の通話要求を携帯端末から受けると、情報や通信に関するサービスを提供するプロバイダ装置と接続し少なくとも２以上に分割された地域に設置され無線基地局装置との間の通話を中継するアクセスポイント装置の中の予め決められたアクセスポイント装置の番号に宛先を切り換えて接続することを特徴とする自動接続方法。
【請求項１２】
予め決められた地域内に存在する携帯端末との間を無線で交信し通話を中継する無線基地局装置が、予め決められた宛先番号の通話要求を携帯端末から受けると、情報や通信に関するサービスを提供するプロバイダ装置毎に割り付けられた特殊番号に対して最も有利な条件で通話要求を受けた無線基地局装置とプロバイダ装置との間を接続可能で無線基地局装置と通信網で接続されるアクセスポイント装置の番号を保持するアクセスポイント情報テーブルを参照して、宛先番号が特殊番号の場合は対応するアクセスポイント装置の番号に宛先番号を切り換えて接続することを特徴とする自動接続方法。
【請求項１３】
予め決められた地域内に存在する携帯端末との間を無線で交信し通話を中継する無線基地局装置は、予め決められた宛先番号の通話要求を携帯端末から受けると、予め決められた無線基地局装置を識別する情報と宛先番号とを含んだ問い合わせ要求を通信網で接続される管理サーバに送り、
管理サーバは、問い合わせ要求を受けると、無線基地局装置を識別する情報とプロバイダ装置毎に割り付けられた特殊番号と無線基地局装置に最も有利な条件でプロバイダ装置に接続可能で無線基地局装置と通信網で接続されるアクセスポイント装置の番号とをセットにして保持する統合アクセスポイント情報テーブルを参照して対応するアクセスポイント装置の番号を返送し、
前記無線基地局装置はアクセスポイント装置の番号が返送されると宛先番号を返送されたアクセスポイント装置の番号に切り換えて接続することを特徴とする自動接続方法。
【請求項１４】
前記通信網とは公衆回線網であり、前記最も有利な条件とは公衆回線網の通話料金が最も安価なことであることを特徴とする請求項１２、又は１３の自動接続方法。
【請求項１５】
予め決められた地域内に存在する携帯端末との間を無線で交信し通話を中継する無線基地局装置が予め決められた宛先番号の通話要求を携帯端末から受けると、情報や通信に関するサービスを提供するプロバイダ装置と接続し少なくとも２以上に分割された地域に設置され無線基地局装置との間の通話を中継するアクセスポイント装置の中の予め決められたアクセスポイント装置の番号に宛先を切り換えて接続する手順をコンピュータに実行させるプログラム。
【請求項１６】
予め決められた地域内に存在する携帯端末との間を無線で交信し通話を中継する無線基地局装置が、予め決められた宛先番号の通話要求を携帯端末から受けると、情報や通信に関するサービスを提供するプロバイダ装置毎に割り付けられた特殊番号に対して最も有利な条件で通話要求を受けた無線基地局装置とプロバイダ装置との間を接続可能で無線基地局装置と通信網で接続されるアクセスポイント装置の番号を保持するアクセスポイント情報テーブルを参照する手順と、宛先番号が特殊番号の場合は対応するアクセスポイント装置の番号に宛先番号を切り換えて接続する手順とをコンピュータに実行させるプログラム。
【請求項１７】
予め決められた地域内に存在する携帯端末との間を無線で交信し通話を中継する無線基地局装置が、予め決められた宛先番号の通話要求を携帯端末から受けると、予め決められた無線基地局装置を識別する情報と宛先番号とを含んだ問い合わせ要求を通信網で接続される管理サーバに送る手順と、
管理サーバが、問い合わせ要求を受けると、無線基地局装置を識別する情報とプロバイダ装置毎に割り付けられた特殊番号と無線基地局装置に最も有利な条件でプロバイダ装置に接続可能で無線基地局装置と通信網で接続されるアクセスポイント装置の番号とをセットにして保持する統合アクセスポイント情報テーブルを参照して対応するアクセスポイント装置の番号を返送する手順と、
前記無線基地局装置がアクセスポイント装置の番号が返送されると宛先番号を返送されたアクセスポイント装置の番号に切り換えて接続する手順とをコンピュータに実行させるプログラム。
【発明の詳細な説明】
【０００１】
【発明の属する技術分野】
本発明はインターネットプロバイダへの自動接続システム、無線基地局装置、管理サーバ、自動接続方法、及びプログラムに関し、特により有利な条件（安価な通話料）のアクセスポイントを経由してプロバイダへ接続する技術に関する。
【０００２】
【従来の技術】
無線電話網の発達により移動先でＰＨＳ（ｐｅｒｓｏｎａｌ  ｈａｎｄｙｐｈｏｎｅ  ｓｙｓｔｅｍ）等の携帯電話や携帯端末機器からのインターネットの利用が容易になった。一方でＰＨＳや携帯端末等の無線電話では遠距離になると通話料金が高くなる。このため利用者は通話料金を節約するためにはインターネットへの接続サービスを提供するプロバイダへ接続する際に、移動先では目的のプロバイダのアクセスポイントのなかで一番近くにあるアクセスポイントを調べて接続先を変える必要があった。そのために、利用者は接続先のアクセスポイントの電話番号を移動先毎に最寄りの番号に変更するという面倒な操作が必要であった。
【０００３】
これを解決する技術として、特開平１０−１６４２７２号公報では、プロバイダが地域ごとに公衆回線網に設けたアクセスポイントと地域情報とを関連させた情報を保持するサービスセンタへ利用者の携帯端末から地域情報を伴って問い合わせて最寄りのアクセスポイントの電話番号を取得し、アクセスポイントへ接続する技術が示されている。
【０００４】
また、特開２０００−１９６７８１号公報では、利用者がプロバイダを識別する情報と位置情報と利用者の携帯端末の電話番号を伴ってＰＨＳセンタへ問い合わせると、ＰＨＳセンタが該当するプロバイダに要求をし、プロバイダが位置情報から最寄りのアクセスポイントを決定し、最寄りのアクセスポイントから利用者へ電話をかけることにより最寄りのアクセスポイントで接続する技術が示されている。
【０００５】
【特許文献１】
特開平１０−１６４２７２号公報
【特許文献２】
特開２０００−１９６７８１号公報
【０００６】
【発明が解決しようとする課題】
しかしながら、これらの従来技術には次のような問題点があった。特開平１０−１６４２７２号公報の技術では、携帯端末は一度アクセスポイントの電話番号を取得した後電話をかけ直すため、利用者がかけ直しの操作をするか或いは携帯端末にかけ直しをするための機能を追加する必要があり、また、接続するまでに時間がかかるという問題があった。
【０００７】
また、特開２０００−１９６７８１号公報ではアクセスポイントから利用者へ電話をかけるため、電話の利用料金がプロバイダ側に課金されてしまい、プロバイダはこの利用料金を利用者から徴収するための工夫を必要とするという問題があった。
【０００８】
本発明の目的は、利用者が簡単な操作で自動的に最寄りのアクセスポイントを介してプロバイダに接続し、安価な通話料金で公衆回線を利用しながらプロバイダが提供するインターネット接続や電子メール等のサービスを利用できるようにしたインターネットプロバイダへの自動接続システム、無線基地局装置、管理サーバ、自動接続方法、及びプログラムを提供することにある。
【０００９】
【課題を解決するための手段】
本発明の第１の自動接続システムは、予め決められた地域内に存在する携帯端末との間を無線で交信し通話を中継する無線基地局装置と、情報や通信に関するサービスを提供するプロバイダ装置と接続し少なくとも２以上に分割された地域に設置され無線基地局装置との間の通話を中継するアクセスポイント装置と、これらを接続する通信網からなる自動接続システムであって、
前記無線基地局装置は、予め決められた宛先番号の通話要求を携帯端末から受けると予め決められたアクセスポイント装置の番号に切り換えて接続することを特徴とする。
【００１０】
本発明の第２の自動接続システムは、予め決められた地域内に存在する携帯端末との間を無線で交信し通話を中継する無線基地局装置と、情報や通信に関するサービスを提供するプロバイダ装置と接続し少なくとも２以上に分割された地域に設置され無線基地局装置との間の通話を中継するアクセスポイント装置と、これらを接続する通信網からなる自動接続システムであって、
前記無線基地局装置は、プロバイダ装置毎に割り付けられた特殊番号に対して最も有利な条件でプロバイダ装置に接続可能なアクセスポイント装置の番号を保持するアクセスポイント情報テーブルと、携帯端末から通話要求を受けるとアクセスポイント情報テーブルを参照して宛先番号が特殊番号の場合は対応するアクセスポイント装置の番号に宛先番号を切り換える切換処理部とを有することを特徴とする。
【００１１】
本発明の第３の自動接続システムは、予め決められた地域内に存在する携帯端末との間を無線で交信し通話を中継する無線基地局装置と、情報や通信に関するサービスを提供するプロバイダ装置と接続し少なくとも２以上に分割された地域に設置され無線基地局装置との間の通話を中継するアクセスポイント装置と、管理サーバと、これらを接続する通信網からなる自動接続システムであって、
前記管理サーバは、無線基地局装置を識別する情報とプロバイダ装置毎に割り付けられた特殊番号と無線基地局装置に最も有利な条件でプロバイダ装置に接続可能なアクセスポイント装置の番号とをセットにして保持する統合アクセスポイント情報テーブルと、無線基地局装置から無線基地局装置を識別する情報と宛先番号とを含んだ問い合わせ要求を受けると統合アクセスポイント情報テーブルを参照して対応するアクセスポイント装置の番号を返送する特殊番号処理部とを有し、
前記無線基地局装置は、携帯端末から宛先番号が特殊番号である通話要求を受けると予め決められた無線基地局装置を識別する情報と宛先番号とを含んだ問い合わせ要求を管理サーバに送り返送されたアクセスポイント装置の番号に宛先番号を切り換える切換処理部を有することを特徴とする。
【００１２】
本発明の第４の自動接続システムは、予め決められた地域内に存在する携帯端末との間を無線で交信し通話を中継する無線基地局装置と、情報や通信に関するサービスを提供するプロバイダ装置と接続し少なくとも２以上に分割された地域に設置され無線基地局装置との間の通話を中継するアクセスポイント装置と、管理サーバと、これらを接続する通信網からなる自動接続システムであって、
前記管理サーバは、無線基地局装置を識別する情報とプロバイダ装置毎に割り付けられた特殊番号と無線基地局装置に最も有利な条件でプロバイダ装置に接続可能なアクセスポイント装置の番号とをセットにして保持する統合アクセスポイント情報テーブルと、無線基地局装置から無線基地局装置を識別する情報と宛先番号とを含んだ問い合わせ要求を受けると統合アクセスポイント情報テーブルを参照して宛先番号が特殊番号として登録されている場合に対応するアクセスポイント装置の番号を返送する特殊番号処理部とを有し、
前記無線基地局装置は、携帯端末から通話要求を受けると予め決められた無線基地局装置を識別する情報と宛先番号とを含んだ問い合わせ要求を管理サーバに送り対応するアクセスポイント装置の番号が取得された場合には宛先番号を取得したアクセスポイント装置の番号に切り換える切換処理部を有することを特徴とする。
【００１３】
本発明の第５の自動接続システムは、本発明の第２、第３、又は第４の自動接続システムにおいて、前記通信網とは公衆回線網であり、前記最も有利な条件とは公衆回線網の通話料金が最も安価なことであることを特徴とする。
【００１４】
本発明の第１の無線基地局装置は、予め決められた地域内に存在する携帯端末との間を無線で交信して通話を中継し、
予め決められた宛先番号の通話要求を携帯端末から受けると、情報や通信に関するサービスを提供するプロバイダ装置と接続し少なくとも２以上に分割された地域に設置され無線基地局装置との間の通話を中継するアクセスポイント装置の中の予め決められたアクセスポイント装置の番号に切り換えて接続することを特徴とする。
【００１５】
本発明の第２の無線基地局装置は、予め決められた地域内に存在する携帯端末との間を無線で交信して通話を中継し、通信網によって情報や通信に関するサービスを提供するプロバイダ装置と接続し少なくとも２以上に分割された地域に設置され無線基地局装置との間の通話を中継するアクセスポイント装置と通信網で接続し、
プロバイダ装置毎に割り付けられた特殊番号に対して最も有利な条件でプロバイダ装置に接続可能なアクセスポイント装置の番号を保持するアクセスポイント情報テーブルと、携帯端末から通話要求を受けるとアクセスポイント情報テーブルを参照して宛先番号が特殊番号の場合は対応するアクセスポイント装置の番号に宛先番号を切り換える切換処理部とを有することを特徴とする。
【００１６】
本発明の第３の無線基地局装置は、本発明の第２の無線基地局装置において、前記通信網とは公衆回線網であり、前記最も有利な条件とは公衆回線網の通話料金が最も安価なことであることを特徴とする。
【００１７】
本発明の第１の管理サーバは、予め決められた地域内に存在する携帯端末との間を無線で交信し通話を中継する無線基地局装置と、情報や通信に関するサービスを提供するプロバイダ装置と接続し少なくとも２以上に分割された地域に設置され無線基地局装置との間の通話を中継するアクセスポイント装置と、通信網で接続し、
無線基地局装置を識別する情報とプロバイダ装置毎に割り付けられた特殊番号と無線基地局装置に最も有利な条件でプロバイダ装置に接続可能なアクセスポイント装置の番号とをセットにして保持する統合アクセスポイント情報テーブルと、無線基地局装置から無線基地局装置を識別する情報と宛先番号とを含んだ問い合わせ要求を受けると統合アクセスポイント情報テーブルを参照して対応するアクセスポイント装置の番号を返送する特殊番号処理部とを有することを特徴とする。
【００１８】
本発明の第２の管理サーバは、本発明の第１の管理サーバにおいて、前記通信網とは公衆回線網であり、前記最も有利な条件とは公衆回線網の通話料金が最も安価なことであることを特徴とする。
【００１９】
本発明の第１の自動接続方法は、予め決められた地域内に存在する携帯端末との間を無線で交信し通話を中継する無線基地局装置が予め決められた宛先番号の通話要求を携帯端末から受けると、情報や通信に関するサービスを提供するプロバイダ装置と接続し少なくとも２以上に分割された地域に設置され無線基地局装置との間の通話を中継するアクセスポイント装置の中の予め決められたアクセスポイント装置の番号に宛先を切り換えて接続することを特徴とする。
【００２０】
本発明の第２の自動接続方法は、予め決められた地域内に存在する携帯端末との間を無線で交信し通話を中継する無線基地局装置が、予め決められた宛先番号の通話要求を携帯端末から受けると、情報や通信に関するサービスを提供するプロバイダ装置毎に割り付けられた特殊番号に対して最も有利な条件で通話要求を受けた無線基地局装置とプロバイダ装置との間を接続可能で無線基地局装置と通信網で接続されるアクセスポイント装置の番号を保持するアクセスポイント情報テーブルを参照して、宛先番号が特殊番号の場合は対応するアクセスポイント装置の番号に宛先番号を切り換えて接続することを特徴とする。
【００２１】
本発明の第３の自動接続方法は、予め決められた地域内に存在する携帯端末との間を無線で交信し通話を中継する無線基地局装置は、予め決められた宛先番号の通話要求を携帯端末から受けると、予め決められた無線基地局装置を識別する情報と宛先番号とを含んだ問い合わせ要求を通信網で接続される管理サーバに送り、
管理サーバは、問い合わせ要求を受けると、無線基地局装置を識別する情報とプロバイダ装置毎に割り付けられた特殊番号と無線基地局装置に最も有利な条件でプロバイダ装置に接続可能で無線基地局装置と通信網で接続されるアクセスポイント装置の番号とをセットにして保持する統合アクセスポイント情報テーブルを参照して対応するアクセスポイント装置の番号を返送し、
前記無線基地局装置はアクセスポイント装置の番号が返送されると宛先番号を返送されたアクセスポイント装置の番号に切り換えて接続することを特徴とする。
【００２２】
本発明の第４の自動接続方法は、本発明の第１、第２、又は第３の自動接続方法において、前記通信網とは公衆回線網であり、前記最も有利な条件とは公衆回線網の通話料金が最も安価なことであることを特徴とする。
【００２３】
本発明の第１のプログラムは、予め決められた地域内に存在する携帯端末との間を無線で交信し通話を中継する無線基地局装置が予め決められた宛先番号の通話要求を携帯端末から受けると、情報や通信に関するサービスを提供するプロバイダ装置と接続し少なくとも２以上に分割された地域に設置され無線基地局装置との間の通話を中継するアクセスポイント装置の中の予め決められたアクセスポイント装置の番号に宛先を切り換えて接続する手順をコンピュータに実行させる。
【００２４】
本発明の第２のプログラムは、予め決められた地域内に存在する携帯端末との間を無線で交信し通話を中継する無線基地局装置が、予め決められた宛先番号の通話要求を携帯端末から受けると、情報や通信に関するサービスを提供するプロバイダ装置毎に割り付けられた特殊番号に対して最も有利な条件で通話要求を受けた無線基地局装置とプロバイダ装置との間を接続可能で無線基地局装置と通信網で接続されるアクセスポイント装置の番号を保持するアクセスポイント情報テーブルを参照する手順と、宛先番号が特殊番号の場合は対応するアクセスポイント装置の番号に宛先番号を切り換えて接続する手順とをコンピュータに実行させる。
【００２５】
本発明の第３のプログラムは、予め決められた地域内に存在する携帯端末との間を無線で交信し通話を中継する無線基地局装置が、予め決められた宛先番号の通話要求を携帯端末から受けると、予め決められた無線基地局装置を識別する情報と宛先番号とを含んだ問い合わせ要求を通信網で接続される管理サーバに送る手順と、
管理サーバが、問い合わせ要求を受けると、無線基地局装置を識別する情報とプロバイダ装置毎に割り付けられた特殊番号と無線基地局装置に最も有利な条件でプロバイダ装置に接続可能で無線基地局装置と通信網で接続されるアクセスポイント装置の番号とをセットにして保持する統合アクセスポイント情報テーブルを参照して対応するアクセスポイント装置の番号を返送する手順と、
前記無線基地局装置がアクセスポイント装置の番号が返送されると宛先番号を返送されたアクセスポイント装置の番号に切り換えて接続する手順とをコンピュータに実行させる。
【００２６】
【発明の実施の形態】
次に、本発明の実施の形態について図面を参照して詳細に説明する。図１は本発明の第１の実施の形態の構成を示したブロック図である。図１のシステムは、利用者が使用する携帯端末１０（図１では携帯端末１０−１と携帯端末１０−２を記載）と、無線基地局装置２０（図１では無線基地局装置２０−１と無線基地局装置２０−２を記載）と、アクセスポイント装置（図１ではＺ社ＡＰ装置３１、Ｚ社ＡＰ装置３２、Ｙ社ＡＰ装置３３を記載）と、プロバイダ装置（図１ではＺ社プロバイダ装置４１とＹ社プロバイダ装置４２を記載）と、公衆回線網３９と、インターネット４９とから構成される。
【００２７】
携帯端末１０は利用者がインターネットをアクセスする機能を有したＰＨＳ等の携帯電話、携帯端末、可搬型のパーソナルコンピュータ等の装置であり、無線基地局装置２０との間の無線通信機能とインターネットへのアクセス機能とを有し、また入力機能とインターネットから取得した情報を表示する機能とを含んでいる。無線基地局装置２０への接続機能は携帯端末１０の基本機能ではなくオプション装置（例えばＰＨＳ装置）を組み込むか接続することにより実現するようにしてもかまわない。
【００２８】
無線基地局装置２０は、一定の区域毎に設置される無線基地局内に置かれる通信と情報を処理する装置であり、携帯端末１０との間の無線通信機能を有し、携帯端末１０からの発呼である通話要求を無線で受けると公衆回線網を介して通話先へ接続したり区域内の携帯端末１０宛の通話要求を公衆回線網を介して受けて接続したりする機能を有する装置であり、さらに、切換処理部２１（図１では２１−１と２１−２とを記載）とＡＰ情報テーブル２２（図１では２２−１と２２−２を記載）とを含んでいる。
【００２９】
切換処理部２１は携帯端末１０から予め決められた特徴を持ち一般の電話番号と区別できる電話番号又は特定の規則で組み合わされた記号と数字の組み合わせである特殊番号を宛先とした通話要求を受け付けた場合に、特殊番号と特殊番号に対応するＡＰ装置の電話番号とをセットにして記憶するＡＰ情報テーブル２２を参照して、受信した特殊番号を対応するＡＰ装置の電話番号に切り換え処理を実行し、プログラムで実現される。
【００３０】
切換処理部２１は、宛先番号が特殊番号か否かを判別するために必要な特殊番号の特徴に関する判別情報を持っており、これらの判別情報を参照して特殊番号か否かを判別する。例えば“＊５”で始まる４桁の番号は特殊番号であるという特徴が判別情報である。
【００３１】
図２はＡＰ情報テーブル２２−１とＡＰ情報テーブル２２−２の登録内容の一例を示す図である。ただし、（ＡＰ装置３１）のように（  ）で示した情報は説明のために記載したものであり、実際のテーブルでは必要ない。図２を参照すれば、特殊番号“＊５０１”はプロバイダＺ社に対応して付けられた特殊番号で、各無線基地局装置２０毎に最寄りのアクセスポイントのＡＰ装置の電話番号が登録されている。
【００３２】
ここでは、無線基地局装置２０−１に最寄りのＺ社のアクセスポイントはＡＰ装置３１であり、無線基地局装置２０−２に最寄りのＺ社のアクセスポイントはＡＰ装置３２であるものとしている。ここで最寄りのという意味は通話料金が最も安いという意味でもあるが、矛盾する場合は最も安いという条件が優先する。
【００３３】
図２を参照すれば、プロバイダＺ社については、ＡＰ情報テーブル２２−１ではアクセスポイントの電話番号は０９２−８８８−１１１１（ＡＰ装置３１の番号）となり、ＡＰ情報テーブル２２−２ではアクセスポイントの電話番号は０９９−７７７−１１１１（ＡＰ装置３２の番号）となる。なお、ここでは特殊番号を記号と数字の組み合わせとして示しているが、通常の１０桁の数字からなる電話番号であってもよく公衆回線網３９で一意に決められたものであればよい。
【００３４】
ＡＰ装置３１〜３３は携帯端末１０や図示しないが公衆回線網３９に接続された情報装置からインターネット４９への接続要求を受けると、予め接続されているプロバイダ装置４１或いはプロバイダ装置４２に接続要求を仲介する機能を有する。図１ではＡＰ装置３１とＡＰ装置３２はＺ社プロバイダ装置４１へ仲介し、ＡＰ装置３２はＹ社プロバイダ装置４２へ仲介する。なお、公衆回線網３９は例えばＩＳＤＮやアナログの電話回線網である。
【００３５】
プロバイダ装置４１はそれぞれ接続するＡＰ装置３１又はＡＰ装置３２からの接続要求を受けると、利用者との契約条件等を確認して契約条件を満足していればインターネット４９への接続を許可し利用者からのインターネットアクセス要求を処理する。プロバイダ装置４２も同様にＡＰ装置３３からの接続要求を受け利用者からの要求を処理する。また、図１ではＡＰ装置３１〜３３とプロバイダ装置４１、４２との間は専用の通信路として示しているが、論理的に接続可能であればよく、物理的に独立した専用の通信路である必要はなく、特に通信路を限定するものではない。
【００３６】
次に、本発明の第１の実施の形態の動作について図面を参照して説明する。ここでは利用者が図１の携帯端末１０−１を用いてＺ社のプロバイダ装置４１にアクセスしインターネット４９に接続する場合について説明する。
【００３７】
図３は携帯端末１０、無線基地局装置２０おける動作を示したフローチャートである。まず、利用者がＺ社のプロバイダをアクセスするための特殊番号“＊５０１”宛の通話要求を携帯端末１０−１へ入力し発信操作すると、携帯端末１０−１は“＊５０１”宛の通話要求を無線で発信する（Ｓ８１）。
【００３８】
携帯端末１０−１から発信された通話要求は最寄りの無線基地局装置２０−１で受信され、無線基地局装置２０−１の切換処理部２１−１は宛先番号を参照して特殊番号かを確認する（Ｓ８２、Ｓ８３）。この場合は特殊番号であるため、切換処理部２１−１はＡＰ情報テーブル２２−１を索引して図２（１）のように“０９２−８８８−１１１１”という最寄りのＡＰ装置３１の番号を得て、ＡＰ装置３１へ転送する（Ｓ８４）。
【００３９】
なお、特殊番号でない場合、切換処理部２１−１は処理を図示しないが通常の転送処理を実行する転送手段へ返し、通常の転送手段が宛先番号に従って公衆回線網に接続する所定の中継装置（図示しない）に転送する（Ｓ８５）。例えば宛先が携帯端末１０−２の場合は無線基地局装置２０−２へ転送され携帯端末１０−２に通話要求が届く。
【００４０】
この後、ＡＰ装置３１は通話要求を無線基地局装置２０−１から受け取ると、予め決められている手順に従ってＺ社のプロバイダ装置４１へ通話要求を転送する。プロバイダ装置４１が通話要求を受信して応答することにより携帯端末１０−１とプロバイダ装置４１とが接続され、プロバイダ装置４１は携帯端末１０−１からの要求について順次処理していく。
【００４１】
接続以降の処理内容については特に限定しないが、プロバイダ装置４１は利用者の確認と契約内容の確認を実行し、契約内容に応じて各種のサービスを提供する。例えばインターネットのアクセス要求であればインターネット４９を介して要求されたアクセス先のウェブサイトにアクセスし、ハイパーテキスト等の情報を読み出して携帯端末１０−１へ接続中の通信路を介して返送する。
【００４２】
以上は、携帯端末１０−１からの動作を例に説明したが、携帯端末１０−２を例に説明すると、携帯端末１０−２からの通話要求は最寄りの無線基地局装置２０−２で受信される。宛先が特殊番号“＊５０１”の場合は切換処理部２１−２によってＡＰ情報テーブル２２−２が参照され、図２（２）のように最寄りのＡＰ装置３２の電話番号である“０９９−７７７−１１１１”が得られる。従って携帯端末１０−２からはＡＰ装置３２を経由してプロバイダ装置４１へ接続される。
【００４３】
また、携帯端末１０−１からＹ社のアクセスポイントへ接続する場合について説明すると、まず利用者は特殊番号“＊５０２”にて接続操作する。切換処理部２１−１は携帯端末１０−１からの“＊５０２”を受けるとＡＰ情報テーブル２２−２を参照して最寄りのＡＰ装置３３の電話番号“０９２−８８８−２２２２”を取得し、通話要求をＡＰ装置３３へ転送し、ＡＰ装置３３は通話要求をプロバイダ装置４２へ転送する。従って、利用者はＹ社を利用する場合は特殊番号を“＊５０２”として入力だけでどの移動先であっても自動的にＹ社の最寄りのアクセスポイントを経由して安価な通話料で接続することができる。
【００４４】
以上の説明では宛先番号が特殊番号であることを特定するために特殊番号が特徴を持つものとしたが、特殊番号自体に特徴がない場合は全ての通話要求に対してＡＰ情報テーブル２２を参照し、宛先番号が登録されている場合に特殊番号であることを確認し、対応する電話番号へ切り換えるようにすることにより実現できる。従って特殊番号自体に特徴を条件付ける必要はない。
【００４５】
このように、利用者はＺ社にプロバイダへ接続する場合は、どこであっても同じ特殊番号の“＊５０１”を指定するだけで、自動的に最寄りの経路で接続することができるので、移動先の場所と最寄りのアクセスポイントの電話番号等を指定しなくとも自動的に安価なアクセスポイントを経由して所望のプロバイダに接続することができる。
【００４６】
次に、本発明の第２の実施の形態について図面を参照して詳細に説明する。図４は本発明の第２の実施の形態の構成を示したブロック図である。図４では本発明の第１の実施の形態の構成を示す図１と同じ機能を有するものは同じ番号を付与している。図１と比べると管理サーバ６０を有する点と、無線基地局装置２０毎に実装された個別のＡＰ情報テーブル２２が管理サーバ６０の統合ＡＰ情報テーブル６２にまとめられている点に特徴がある。
【００４７】
図４を参照すると本発明の第２の実施の形態は、携帯端末１０と、無線基地局５０と、管理サーバ６０と、ＡＰ装置３１〜３３と、プロバイダ装置４１〜４２と、無線基地局装置５０と管理サーバ６０とＡＰ装置３１〜３３とを接続する公衆回線網３９とから構成される。図４では管理サーバ６０は１つのみ示しているが、公衆回線網３９を地域に分割して地域ごとに分担して設置してもよい。
【００４８】
無線基地局装置５０は、図１の無線基地局装置２０と同様に一定の区域毎に設置される無線基地局内に置かれる通信と情報を処理する装置であり、携帯端末１０との間の無線通信機能を有し、携帯端末１０からの発呼である通話要求を無線で受けると公衆回線網３９を介して通話先へ接続したり区域内の携帯端末１０宛の通話要求を公衆回線網３９を介して受けて接続したりする機能を有する装置である。また、無線基地局装置５０は、切換処理部２１に相当する切換処理部５１を有するがＡＰ情報テーブル２２に相当するものを含んでいない点が異なる。
【００４９】
切換処理部５１は携帯端末１０から特殊番号を宛先とした通話要求を受け付けた場合に、管理サーバ６０に特殊番号に対応するＡＰ装置の電話番号を問い合わせて取得した電話番号へ通話要求を転送し、プログラムで実現される。なお、問い合わせ先の管理サーバ６０の電話番号は予め各無線基地局装置５０に設定されており、地域毎に管理サーバ６０が配置される場合は無線基地局装置５０を含む地域に設置された管理サーバ６０の電話番号が問い合わせ先の管理サーバ６０の電話番号として設定される。
【００５０】
管理サーバ６０は、公衆回線網３９と接続し、特殊番号処理部６１と統合ＡＰ情報テーブル６２とを含む、サーバ機能を有する情報処理装置である。特殊番号処理部６１は、無線基地局装置５０から無線基地局を識別するＩＤ情報と特殊番号を含んだ問い合わせ要求を受けると、統合ＡＰ情報テーブル６２を参照して該当するＡＰ装置の電話番号を取り出して問い合わせ要要求元へ返信し、プログラムで実現される。
【００５１】
統合ＡＰ情報テーブル６２は無線基地局のＩＤ情報と特殊番号とこれらに対応するＡＰ装置の電話番号をセットにして記憶するテーブルであり、図５は一例を示した図である。図５において、無線基地局装置５０−１のＩＤは“０９２００００１”であり、無線基地局装置５０−２のＩＤは“０９９００７７７”である。無線基地局装置５０−１から特殊番号“＊５０１”の問い合わせ要求に対しては“０９２−８８８−１１１１”が該当し、無線基地局装置５０−２から特殊番号“＊５０１”の問い合わせ要求に対しては“０９９−７７７−１１１１”が該当することを示している。統合ＡＰ情報テーブル６２は実装される管理サーバ６０が管理する無線基地局装置５０の全ての情報を含んでおり、管理サーバ６０が地域に分割して設置される場合はその地域内の無線基地局装置５０の情報が設定される。
【００５２】
なお、第１の実施の形態と同様に、無線基地局装置５０−１に対して最寄りのすなわち通話料が最も安価となるアクセスポイントはＡＰ装置３１であり、無線基地局装置５０−２に対して最寄りのすなわち通話料が最も安価となるアクセスポイントがＡＰ装置３２であることに基づいて統合ＡＰ情報テーブル６２が作成されている。
【００５３】
以上のように本発明の第２の実施の形態においてはＡＰ情報を参照する経路・手順が第１の実施の形態と異なるが、その他の点では同様であるので説明は省略する。
【００５４】
次に本発明の第２の実施の形態の動作を説明する。図６は本発明の第２の実施の形態の動作を示したフローチャートである。図６では図３と同様にＺ社プロバイダへ接続するために携帯端末１０−１に宛先を特殊番号の“＊５０１”とした場合について示している。
【００５５】
まず、携帯端末１０−１は入力された特殊番号“＊５０１”を含む通話要求を無線基地局装置５０−１へ送る（Ｓ９１）。無線基地局装置５０−１は通話要求を受信すると切換処理部５１−１を起動し、切換処理部５１−１は受信した通話要求の宛先番号が特殊番号か否か判断し（Ｓ９２、Ｓ９３）、“＊５０１”は特殊番号であるため、ステップＳ９４へ進み公衆回線網３９を介して管理サーバ６０へ自身のＩＤ情報“０９２００００１”と特殊番号“＊５０１”とを含んだ問い合わせ要求を送る（Ｓ９４）。
【００５６】
管理サーバ６０の特殊番号処理部６１は問い合わせ要求を受け取るとＩＤ情報“０９２００００１”と特殊番号“＊５０１”とにより統合ＡＰ情報テーブル６２を参照して最寄りのアクセスポイントとしてＡＰ装置３１の電話番号“０９２−８８８−１１１１”を取得し、これを問い合わせ要求元の無線基地局装置５０−１へ返送する（Ｓ９５）。
【００５７】
切換処理部５１−１は問い合わせ要求の返答により転送先となるＡＰ装置３１の電話番号“０９２−８８８−１１１１”を取得し、ＡＰ装置３１へ携帯端末１０−１から受け取った通話要求を転送する（Ｓ９６）。ＡＰ装置３１は通話要求を受け取るとプロバイダ装置４１へ通話要求を転送する。このようにして携帯端末１０−１がプロバイダ装置４１に接続され、以降契約に従ったサービスを受けることができる。
【００５８】
また、携帯端末１０−１から受け取った通話要求が特殊番号でない場合は、切換処理部５１−１は問い合わせ要求を行わず、図示しないが通常の転送処理を実行する転送手段へ処理を返し、通常の転送手段が宛先番号に従って公衆回線網に接続する所定の中継装置（図示しない）に転送する（Ｓ９７）。
【００５９】
以上の手順では、特殊番号に特徴があるものとし、携帯端末１０−１から受け取った通話要求が特殊番号でない場合切換処理部５１−１は問い合わせ要求を行わないとしたが、特殊番号に特徴がない場合の動作について説明する。
【００６０】
この場合、切換処理部５１−１は特殊番号か否かの判断ができないため、携帯端末１０−１から通話要求を受け取ると宛先番号に関わらず管理サーバ６０へ問い合わせ要求する。管理サーバ６０の特殊番号処理部６１は問い合わせ要求を受け取ると統合ＡＰ情報テーブル６２を参照し、宛先番号が特殊番号として登録されている場合は対応するＡＰ装置３１の電話番号を返送し、登録がない場合には登録無という情報を返送する。
【００６１】
切換処理部５１−１は問い合わせ要求に対してＡＰ装置３１の電話番号が取得された場合に転送先をＡＰ装置３１に切り換え、登録無しの場合は切り換えを行わないように処理する。このように、無線基地局装置５０は特殊番号か否かを判定するための機能は不要となる。
【００６２】
以上のように、本発明の第２の実施の形態では、本発明の第１の実施の形態と同様に、利用者は移動先でプロバイダに接続する場合、どこであってもそのプロバイダに割り付けられた１つの特殊番号にてアクセスするだけで通話料が安価な経路にて自動的に接続されるため、移動先毎に接続先の番号を切り換えるというて面倒な操作なしに、安価な通話料にて接続が可能となる。
【００６３】
また、本発明の第２の実施の形態では、一般的に多数設置される無線基地局装置５０毎にＡＰ情報テーブル２２を実装せず、管理サーバ６０に統合して実装するため、無線基地局装置５０のコストを低減でき、ＡＰ情報テーブル２２のメンテナンスを統合ＡＰ情報テーブル６２に集中してできるという特長がある。一方第１の実施の形態ではＡＰ情報テーブルを参照する時間がかからないのでより高速に処理できるという特長があり、システムの環境や条件によって使い分けすればよい。
【００６４】
【発明の効果】
第１の効果は、利用者はプロバイダ毎に割り付けられた１つの特殊番号を使用するだけでインターネットへの接続において最寄りのアクセスポイントに自動的に接続されるので、最寄りのアクセスポイントの電話番号を調べて携帯端末の電話番号の設定を移動先毎に変更することなく、常に安価な通話料金で利用することが可能となる。
【００６５】
従って、接続前に接続先の電話番号を取得しかけ直すという余計な手順が不要となり、また、アクセスポイントから逆向きに接続する必要がないため、通話料金の精算が明瞭になる。
【図面の簡単な説明】
【図１】本発明の第１の実施の形態の構成を示した図である。
【図２】本発明の第１の実施の形態のＡＰ情報テーブル２１の内容を示した図である。
【図３】本発明の第１の実施の形態の動作を示したフローチャートである。
【図４】本発明の第２の実施の形態の構成を示した図である。
【図５】本発明の第２の実施の形態のＡＰ情報テーブル２１の内容を示した図である。
【図６】本発明の第１の実施の形態の動作を示したフローチャートである。
【符号の説明】
１０    携帯端末
２０    無線基地局装置
２１    切換処理部
２２    ＡＰ情報テーブル
３１    ＡＰ装置
３２    ＡＰ装置
３３    ＡＰ装置
４１    プロバイダ装置
４２    プロバイダ装置
５０    無線基地局装置
５１    切換処理部
６０    管理サーバ
６１    特殊番号処理部
６２    統合ＡＰ情報テーブル
【図１】
2004179989.tif 000003
【図２】
2004179989.tif 000004
【図３】
2004179989.tif 000005
【図４】
2004179989.tif 000006
【図５】
2004179989.tif 000007
【図６】
2004179989.tif 000008